(57)【要約】      （修正有）【課題】坂道登り及び坂道下りの訓練が可能なトレッドミルを提供する。【解決手段】トレッドミルは、ベース１０、前上昇フレーム２０、後上昇フレーム３０、及び駆動用セット４０を備える。前上昇フレームはベースの前半部に枢接され、後上昇フレームはベースの後半部に枢接される。駆動用セットは前上昇フレーム及び後上昇フレームに可動に連結され、モーター４０２、スリーブ４０６、及びスクリュー４０４を含み、モーターによりスリーブが駆動されてスクリューに沿って移動し、スリーブが前半部に向けて移動すると、後上昇フレームが上昇し、後半部に向けて移動すると、前上昇フレームが上昇する。【選択図】図１
0003198326.tif 000002
【実用新案登録請求の範囲】
【請求項１】
使用者がその上で歩行やランニングを行うベースと、
前記ベースの前半部に枢接され、横棒と、前記横棒の両側にそれぞれ位置する２本の側辺棒をさらに含み、各前記側辺棒の一端には支持面或いは地面に当接されるローラーを有し、前記ベースの前記前半部の下方にはストッパーを更に具備し、前記ベースが水平になる場合、前記ストッパーがそれに当接される前上昇フレームと、
前記ベースの後半部に枢接され、支持面或いは地面に接触される外部フレーム、及び前記外部フレーム内に位置する内部フレームで構成される後上昇フレームと、
前記前上昇フレーム及び前記後上昇フレームに可動に連結される駆動用セットとを備え、
前記駆動用セットは、モーター、スリーブ、及びスクリューを含み、前記スリーブは前記スクリューに噛合される内ねじ山を有し、前記モーターにより前記スリーブが駆動されて前記スクリューに沿って前記前半部或いは前記後半部に向けて移動し、前記スリーブが前記前半部に向けて移動すると、前記後上昇フレームが上昇し、前記スリーブが前記後半部に向けて移動すると、前記前上昇フレームが上昇することを特徴とする、
トレッドミル。
【請求項２】
前記スリーブには前記前上昇フレームが枢接され、前記モーターには前記後上昇フレームが枢接されることを特徴とする、請求項１記載のトレッドミル。
【請求項３】
前記内部フレームは横棒、２本の側辺棒、２つの上昇アーム、及び横管を備え、前記２本の側辺棒は前記横棒の両側にそれぞれ位置し、且つ各前記側辺棒は２つの端部を有し、その内の一端部は前記ベースの前記後半部に枢接され、他端部には前記外部フレームに可動に連結されるローラーを有し、前記２つの上昇アームは前記横管の両側にそれぞれ位置し、各前記上昇アームは２つの端部を有し、その内の一端部は前記外部フレームに枢接され、他端部は前記側辺棒に対応する枢軸部に枢接され、各前記側辺棒の前記ベースに枢接される一端の下方にはクッション部を有し、前記ベースが水平になる場合、前記クッション部が前記横管に当接されることを特徴とする、請求項１記載のトレッドミル。
【考案の詳細な説明】
【技術分野】
【０００１】
本考案は、斜度が改変可能なトレッドミルに関する。
【背景技術】
【０００２】
生活が忙しい現代人は、運動が不足がちである。ランニングは簡単で効率的なため、多くの人が嗜んでいる。天気が悪かったり、時間帯によっては室内でトレッドミルを使用する。野外でのランニングに比べて便利であり、また、坂道登りの模擬訓練を行うため、トレッドミルによっては上昇機構を有し、ベースの前端を上昇させる。
【考案の概要】
【考案が解決しようとする課題】
【０００３】
しかしながら、前述した従来の技術では、即ち、坂道登りの訓練以外に、坂道下りの訓練も必要である。
【０００４】
そこで、本考案者は上記の欠点が改善可能と考え、鋭意検討を重ねた結果、合理的設計で上記の課題を効果的に改善する本考案のトレッドミルの提案に到った。
【０００５】
本考案は、以上の実情に鑑みなされたものであって、上記課題解決のため、本考案は、坂道登り及び坂道下りの訓練が可能なトレッドミルを提供することを主目的とする。
【課題を解決するための手段】
【０００６】
上述した課題を解決し、目的を達成するための本考案に係るトレッドミルは、ベース、前上昇フレーム、後上昇フレーム、及び駆動用セットを備える。ベースは使用者がその上で歩行やランニングを行うために使用される。前上昇フレームはベースの前半部に枢接される。後上昇フレームはベースの後半部に枢接される。駆動用セットは前上昇フレーム及び後上昇フレームに可動に連結され、且つ前上昇フレームと後上昇フレームとの間で移動するスリーブを備える。スリーブが前半部に向けて移動すると、後上昇フレームが上昇する。スリーブが後半部に向けて移動すると、前上昇フレームが上昇する。
【０００７】
また、本考案の他のトレッドミルはベース、前上昇フレーム、後上昇フレーム、及び駆動用セットを備える。ベースは使用者がその上で歩行やランニングを行うために使用される。前上昇フレームはベースの前半部に枢接される。後上昇フレームはベースの後半部に枢接される。駆動用セットは前上昇フレーム及び後上昇フレームに可動に連結され、且つ前上昇フレームと後上昇フレームとの間で移動し、前上昇フレーム或いは後上昇フレームを上昇させる。
【考案の効果】
【０００８】
本考案によれば、坂道登り及び坂道下りの訓練が可能な運動装置である。
【図面の簡単な説明】
【０００９】
【図１】本考案の第１実施形態によるトレッドミルを示す展開図である。
【図２Ａ】本考案が前上昇フレ−ム、後上昇フレ−ム及び駆動用セットからなるトレッドミルを示す構成。
【図２Ｂ】本考案が前上昇フレ−ム、後上昇フレ−ム及び駆動用セットからなるトレッドミルを示す構成。
【図３】本考案のトレッドミルが水平状態となる場合、ストッパーにより前上昇フレ−ムに当接する状態図。
【図４】本考案のトレッドミルが水平状態となる場合、後上昇フレ−ムのクッション部により横棒に当接する状態図。
【図５】本考案のトレッドミルにより坂道下りへの模擬状態の傾斜図である。
【図６】本考案のトレッドミルにより坂道登りへの模擬状態の傾斜図である。
【図７】本考案の他の実施形態に係るトレッドミルを示す展開図である。
【考案を実施するための形態】
【００１０】
以下に図面を参照して、本考案を実施するための形態について、詳細に説明する。なお、本考案は、以下に説明する実施形態に限定されるものではない。また、以下に説明される構成の全てが、本考案の必須要件であるとは限らない。なお、いつくかの実施形態において、同じないしは相似する部材の符号は同じ、相似する、ないしは類似する部材及び／或いは素子を示すが、但しいくつかの実施形態においては、異なる部材を示す。いくつかの実施形態では、方向を示す名詞の上、下、左、右、上向き、下向き、超過、上方、下方、後面、前面等は字義通り解釈するが、但し他の実施形態では字義通りに解釈しない。また、本考案の部材を分かりやすく表示するため、図中では一部の部材を省略する。明細書において、読者に本考案の理解を促すために、特定の部分を仔細に亘って図示する。然しながら、本考案ではこれらの特定の細部を一部或いは全部省略しても実施可能である。
【００１１】
＜第１実施形態＞
以下、第１実施形態を図１〜７に基づいて説明する。図１に示すように、トレッドミル１はベース１０、前上昇フレーム２０、後上昇フレーム３０、及び駆動用セット４０を備える。
【００１２】
図２Ａ及び図２Ｂは本考案の好ましい実施形態に係るトレッドミルの前上昇フレーム２０、後上昇フレーム３０、及び駆動用セット４０を示す。ベース１０は使用者がその上で歩行やランニングを行うためのベルト１０２を有し、前上昇フレーム２０はベース１０の前半部１０４の下方に枢接される（図１、図２Ａ及び図２Ｂ参照）。後上昇フレーム３０はベース１０の後半部１０６の下方に枢接される。駆動用セット４０は前上昇フレーム２０及び後上昇フレーム３０に可動に連結され、且つ前上昇フレーム２０と後上昇フレーム３０との間で移動し、前上昇フレーム２０或いは後上昇フレーム３０を上昇させる。
【００１３】
本考案の好ましい実施形態によれば、駆動用セット４０の部材は前上昇フレーム２０と後上昇フレーム３０との間で移動する。その詳細は以下で説明する。
【００１４】
図３は図１のトレッドミル１のベース１０が水平状態にある場合を図示する。図１、図２Ａ、図２Ｂ、及び図３は例示に過ぎず制限するものではないが、前上昇フレーム２０は横棒２０２及び２本の側辺棒２０４を備える。
２本の側辺棒２０４は横棒２０２の両側にそれぞれ位置され、各側辺棒２０４の一端には支持面或いは地面に当接されるローラー２０８を有し、他端にはベース１０の前半部１０４の下方の枢接部１０８に枢接される枢接部２０６を有する。また、ベース１０が水平になる場合、ベース１０の前半部１０４の下方のストッパー１１２が前上昇フレーム２０に当接される（図３参照）。
【００１５】
図４は図１のトレッドミル１が水平状態にある場合の後上昇フレームを図示する。図１、図２Ａ、図２Ｂ及び図４は例示に過ぎずこれに制限するわけではないが、後上昇フレーム３０は外部フレーム３０２及び内部フレーム３０４を備える。外部フレーム３０２は支持面或いは地面に接触される４つの支持マット３０２０を含む。
内部フレーム３０４は外部フレーム３０２内に位置し、横棒３０４０、２本の側辺棒３０４２、２つの上昇アーム３０４４、及び横管３０５６を具備する。２本の側辺棒３０４２は横棒３０４０の両側にそれぞれ位置する。各側辺棒３０４２は２つの端部を有し、その内の一端部はベース１０２の後半部１０６の枢接部１１０に枢接される枢接部３０４６を有し、他端部は外部フレーム３０２に可動に連結されるローラー３０４８を有する。２つの上昇アーム３０４４は横管３０５６の両側にそれぞれ位置すると共に横管３０５６に固定され、各上昇アーム３０４４は２つの端部を有し、その内の一端部は外部フレーム３０２の軸部３０５０に枢接され、他端部は側辺棒３０４２に対応する枢軸部３０５２に枢接される。
なお、図４に示すように、側辺棒３０４２の後端部の下方にはクッション部３０５８を有する。ベース１０が水平になる場合、クッション部３０５８が横管３０５６に当接される。
【００１６】
図１、図２Ａ及び図２Ｂは例示に過ぎず制限をかけるものではないが、駆動用セット４０はモーター４０２、スクリュー４０４、及びスリーブ４０６を備える。スリーブ４０６はスクリュー４０４に噛合される内ねじ山を有し、且つ前上昇フレーム２０の枢接部２１０に枢接される枢接部４０８を具備する。モーター４０２は後上昇フレーム３０の枢接部３０５４に枢接される枢接部４１０を有する。モーター４０２によりスリーブ４０６が駆動されてスクリュー４０４に沿ってベース１０の前半部１０４或いは後半部１０６に向けて移動する。
【００１７】
図５乃至図６は本考案の好ましい実施形態に係るトレッドミルの操作状態を図示する。ベース１０が水平になる場合、ベース１０の下方のストッパー１１２が前上昇フレーム２０に当接される（図３参照）。
図２Ａ、図３及び図５に示すように、坂道下り訓練を行う場合、駆動用セット４０を制御してスリーブ４０６を前半部１０４に向けて移動させ、駆動用セット４０の総延長を増加させる。この際、ベース１０のストッパー１１２により前上昇フレーム２０の上昇が阻止され、反作用力が掛けられてスリーブ４０６を経由して後上昇フレーム３０に伝達され、後上昇フレーム３０を上昇させる。また、上昇アーム３０４４が軸部３０５０の周りを回って上昇し、且つ側辺棒３０４２のローラー３０４８が後半部１０６に向けて移動すると、後上昇フレーム３０が上昇し、且つ駆動用セット４０が後上昇フレーム３０に追随して僅かに連動して上昇する。駆動用セット４０を制御してスリーブ４０６を本来の位置に戻すと、ベース１０が水平を回復する。
【００１８】
ベース１０が水平になる場合、後上昇フレーム３０のクッション部３０５８が横管３０５６に当接される（図４参照）。図２Ｂ及び図６に示すように、坂道登り訓練を行う場合、駆動用セット４０を制御してスリーブ４０６を後半部１０６に向けて移動させ、駆動用セット４０の総延長を短縮させる。この際、クッション部３０５８が横管３０５６に当接されて後上昇フレーム３０が下降しなくなり、且つスリーブ４０６が前上昇フレーム２０を引いて後半部１０６に向けて擺動させ、前上昇フレーム２０を上昇させると、駆動用セット４０が前上昇フレーム２０の上昇に追随して僅かに上昇する。駆動用セット４０を制御してスリーブ４０６を本来の位置に戻すと、ベース１０が水平を回復する。
【００１９】
上述のストッパー１１２及びクッション部３０５８の材質は、少なくとも部分的に弾性材料或いは柔軟な材料を含み、横管３０５６及び前上昇フレーム２０の金属材質が接触することで発生する騒音を減少させる。
【００２０】
なお、本考案の実施形態に係るトレッドミルでは、単一の駆動用セットによりベースの前半部或いは後半部の上昇を制御させることで、使用者が坂道登りや坂道下りの模擬訓練を簡単に行える。これによりコストを削減させ、空間を節約させた上、上昇の斜度や下降の反応速度を大幅に向上させる。
【００２１】
この技術の分野における通常の知識を有する者は、本考案の実施形態に対して様々な修飾や変化、変更が可能であり、これらの修飾、変化、変更等も全て本考案の範囲に含まれる。
【００２２】
＜第２実施形態＞
図７のスリーブ４０６の枢接部４０８は後上昇フレーム３０の枢接部３０５４に枢接され、モーター４０２の枢接部４１０は前上昇フレーム２０の枢接部２１０に枢接される。モーター４０２によりスリーブ４０６が駆動されてスクリュー４０４に沿って前半部１０４或いは後半部１０６に向けて移動する。
ベースが水平になる場合、モーター４０２によりスリーブ４０６が駆動されてスクリュー４０４に沿って前半部１０４に向けて移動すると、前上昇フレーム２０が上昇する。モーター４０２によりスリーブ４０６が駆動されてスクリュー４０４に沿って後半部１０６に向けて移動すると、後上昇フレーム３０が上昇する。
【００２３】
以上、本考案の実施形態について図面を参照して詳述したが、具体的な構成はこの実施形態に限られるものではなく、本考案の要旨を逸脱しない範囲の設計変更等も含まれる。
【符号の説明】
【００２４】
１        トレッドミル  
１０      ベース
２０      前上昇フレーム
３０      後上昇フレーム
４０      駆動用セット
１０２    ベルト
１０４    前半部
１０６    後半部
１０８    枢接部
１１０    枢接部
１１２    ストッパー
２０２    横棒
２０４    側辺棒
２０６    枢接部
２０８    ローラー
２１０    枢接部
３０２    外部フレーム
３０４    内部フレーム
４０２    モーター
４０４    スクリュー
４０６    スリーブ
４０８    枢接部
４１０    枢接部
３０２０  支持マット
３０４０  横棒
３０４２  側辺棒
３０４４  上昇アーム
３０４６  枢接部
３０４８  ローラー
３０５０  軸部
３０５２  枢軸部
３０５４  枢接部
３０５６  横管
３０５８  クッション部
【図１】
0003198326.tif 000003
【図２Ａ】
0003198326.tif 000004
【図２Ｂ】
0003198326.tif 000005
【図３】
0003198326.tif 000006
【図４】
0003198326.tif 000007
【図５】
0003198326.tif 000008
【図６】
0003198326.tif 000009
【図７】
0003198326.tif 000010